(57)【要約】【課題】混練機により飛灰と重金属安定化薬液とを添加水とともに混練することにより、飛灰からの重金属類の溶出防止処理をするに際し、混練開始の際に、手間をかけずに、混練機内に残存している飛灰固着物の固着を容易に解除することができるようにすること。【解決手段】混練機により飛灰と重金属安定化薬液とを添加水とともに混練する飛灰処理方法において、混練停止の際に、前記混練機への飛灰、重金属安定化薬液及び添加水の供給を停止した後に、重金属安定化薬液の薬液タンクと前記混練機とを連絡する薬液供給配管路に配管洗浄用の洗浄水を注入しておき、混練開始の際に、前記混練機に飛灰、重金属安定化薬液及び添加水を供給するに先立ち、前記混練機を動作させながら該混練機に前記薬液供給配管路内に溜まっている洗浄水を導入して、前記混練機内に残存している飛灰固着物の固着を解除する。【選択図】図１
2008272556.tif 000002
【特許請求の範囲】
【請求項１】
混練機により飛灰と重金属安定化薬液とを添加水とともに混練することにより、飛灰からの重金属類の溶出防止処理をする飛灰処理方法において、混練停止の際に、前記混練機への飛灰、重金属安定化薬液及び添加水の供給を停止した後に、重金属安定化薬液の薬液タンクと前記混練機とを連絡する薬液供給配管路に配管洗浄用の洗浄水を注入しておき、混練開始の際に、前記混練機に飛灰、重金属安定化薬液及び添加水を供給するに先立ち、前記混練機を動作させながら該混練機に前記薬液供給配管路内に溜まっている洗浄水を導入して、前記混練機内に残存している飛灰固着物の固着を解除することを特徴とする飛灰処理方法。
【発明の詳細な説明】
【技術分野】
【０００１】
本発明は、ごみ焼却施設で発生する排ガスから分離された飛灰を埋め立て処分するための前処理として、埋め立て処分された後に飛灰に含まれる重金属類が溶出することを防止するように飛灰を処理する飛灰処理方法に関するものである。
【背景技術】
【０００２】
ごみ焼却施設でごみの焼却に伴って発生する排ガス中には飛灰が含まれている。この排ガス中から分離された飛灰は、最終的には埋め立て処理される。しかし飛灰が重金属類（鉛、カドミウム、水銀、六価クロム、砒素、及びセレンなど）を含有する場合には、飛灰を埋め立てた後に雨水などで重金属類が溶出するおそれがあるため、飛灰を前もって処理して、飛灰中の重金属類が溶出しないよう溶出防止がなされた飛灰処理物とする必要がある。そのため、混練機により飛灰と重金属安定化薬液とを添加水とともに混練することにより、前記飛灰処理物を生成するようにしている。なお、飛灰は、ごみ焼却施設の廃熱ボイラ、ガス冷却室（減温塔）などで捕集された「ばいじん」、及び集じん灰（集じん施設（バクフィルタなど）によって捕集された「ばいじん」）を総称したものである。
【０００３】
そして、混練機による混練処理は、例えば、焼却炉が２４時間連続運転されるごみ焼却施設では、混練機を１回当り２時間程度運転してそれまで飛灰貯留槽内に貯留されている飛灰を処理し、該混練の終了から約８時間経過後に、次回の混練処理を行うようになされている。このように、飛灰の混練処理がバッチ処理であり、今回の混練処理を終了した時点で混練機内に残存していた被処理物は、次回の混練処理までの間に乾燥して運転動作停止中の混練機内の混練機本体（パドル付きの軸など）に固着することになる。
【０００４】
そのため、従来は、混練開始にあたり、混練機に飛灰、重金属安定化薬液及び添加水を供給するに先立って、混練機清掃用の水を供給するために設けられた清掃水供給配管路からの清掃用の水を、動作停止中の混練機内に人手により撒いて、混練機内に残存している飛灰固着物を湿らせながら必要に応じてヘラなどを使用して該飛灰固着物の固着を解除するようにしている。このように、人手による混練機内の清掃が必要で、手間がかかるという問題点があった。
【０００５】
【特許文献１】特開平１１−２４８１３６号公報（段落［０００２］〜［０００４］）
【発明の開示】
【発明が解決しようとする課題】
【０００６】
本発明は前記問題点に鑑みてなされたものであり、本発明の課題は、混練機により飛灰と重金属安定化薬液とを添加水とともに混練することにより、飛灰からの重金属類の溶出防止処理をするに際し、混練開始の際に、手間をかけずに、混練機内に残存している飛灰固着物の固着を容易に解除することができるようにした飛灰処理方法を提供することにある。
【課題を解決するための手段】
【０００７】
前記の課題を解決するため、本願発明では、次の技術的手段を講じている。
【０００８】
請求項１の発明は、混練機により飛灰と重金属安定化薬液とを添加水とともに混練することにより、飛灰からの重金属類の溶出防止処理をする飛灰処理方法において、混練停止の際に、前記混練機への飛灰、重金属安定化薬液及び添加水の供給を停止した後に、重金属安定化薬液の薬液タンクと前記混練機とを連絡する薬液供給配管路に配管洗浄用の洗浄水を注入しておき、混練開始の際に、前記混練機に飛灰、重金属安定化薬液及び添加水を供給するに先立ち、前記混練機を動作させながら該混練機に前記薬液供給配管路内に溜まっている洗浄水を導入して、前記混練機内に残存している飛灰固着物の固着を解除することを特徴とする飛灰処理方法である。
【発明の効果】
【０００９】
本発明の飛灰処理方法は、混練停止の際に、混練機への飛灰、重金属安定化薬液及び添加水の供給を停止した後に、重金属安定化薬液の薬液タンクと混練機とを連絡する薬液供給配管路に配管洗浄用の洗浄水を注入しておき、混練開始の際に、混練機に飛灰、重金属安定化薬液及び添加水を供給するに先立ち、混練機を動作させながら該混練機に前記薬液供給配管路内に溜まっている洗浄水を導入するようにしている。よって、混練開始の際に、混練機内に残存している飛灰固着物に洗浄水による湿りと混練機４による動きを与えることにより、手間をかけずに、飛灰固着物の固着を容易に解除することができる。
【発明を実施するための最良の形態】
【００１０】
以下、図面を参照して本発明の実施形態について説明する。図１は本発明の方法を実施するための飛灰処理装置を示す概略構成図である。
【００１１】
図１において、１は飛灰貯留槽であり、２は飛灰搬送コンベヤであって、ごみ焼却施設における廃熱ボイラ、ガス冷却室（減温塔）及びバクフィルタなどで捕集された飛灰を前記飛灰貯留槽１へ搬送する。３は飛灰貯留槽１からの飛灰の定量切り出し、定量供給を行う飛灰定量供給装置としてのテーブルフィーダであり、４はテーブルフィーダ３によって飛灰が定量供給され、該飛灰と重金属安定化薬液(例えば、キレート剤）とを希釈用の添加水とともに混練する混練機である。
【００１２】
５は薬液タンクであり、重金属安定化薬液を貯留している。６は管路途中にポンプ７及び薬液用開閉弁８を有し、薬液タンク５と混練機４とを連絡する薬液供給配管路である。この薬液供給配管路６に備えられた前記ポンプ７により、飛灰貯留槽１からの飛灰の切り出し量に合わせて薬液タンク５から重金属安定化薬液が混練機４に定量供給されるようになっている。
【００１３】
１０は洗浄水供給配管路である。この洗浄水供給配管路１０は、薬液供給配管路６における前記ポンプ７と前記薬液用開閉弁８との間に一方側が接続され、他方側が洗浄水供給源９に接続されており、管路途中に洗浄水用開閉弁１１を有している。
【００１４】
１２は添加水タンクであり、１３は管路途中にポンプ１４を有し、添加水タンク１２と混練機４とを連絡する添加水供給配管路である。前記ポンプ１４により、飛灰貯留槽１からの飛灰の切り出し量に合わせて添加水タンク１２から希釈のための添加水が混練機４に定量供給されるようになっている。
【００１５】
１５は搬出コンベヤ、１６は飛灰処理物ピットである。混練後の飛灰処理物は、飛灰処理物ピット１６での固着防止のため搬出コンベヤ１５上で自然養生された後に、飛灰処理物ピット１６に貯留されるようになっている。なお、飛灰処理物ピット１６に代えて飛灰処理物積出しバンカが用いられるものもある。
【００１６】
次に、前記飛灰処理装置を用いて行う飛灰処理方法について説明する。本発明の理解を容易にするため、先に混練停止の際の手順について説明する。
【００１７】
（ａ）まず、混練機４への飛灰、重金属安定化薬液及び添加水の供給が停止される。例えば２時間程度の１バッチ分の混練がすむと、混練機４への飛灰、重金属安定化薬液及び添加水の供給が停止される。
【００１８】
（ｂ）次に、配管洗浄用の洗浄水が所定時間薬液供給配管路６に注入される。重金属安定化薬液の供給停止後、薬液供給配管路６の薬液用開閉弁８が閉じられてから、所定時間洗浄水用開閉弁１１が開かれる。これにより、所定時間洗浄水が薬液供給配管路６に注入されることで、薬液供給配管路６内の重金属安定化薬液が排出されて洗浄水と置換され、薬液供給配管路６内に洗浄水が溜まった状態となる。このように、薬液供給配管路６内の重金属安定化薬液を洗浄水と置換することにより、薬液供給配管路６内において重金属安定化薬液の分離成分が配管壁面に付着し堆積して引き起こされる配管路６のつまりの発生を防止することができる。
【００１９】
（ｃ）この薬液供給配管路６への洗浄水の注入終了後、混練機４の動作が停止される。
【００２０】
次に、混練開始の際の手順について説明する。（Ａ）まず、混練機４が起動されてその動作が開始される。
【００２１】
（Ｂ）次に、混練機４に薬液供給配管路６内に前記の溜まっている洗浄水が送り込まれる。この場合、ポンプ７が運転開始されるとともに、短時間洗浄水用開閉弁１１が開かれる。
【００２２】
（Ｃ）次に、混練機４への飛灰、重金属安定化薬液及び添加水の供給が開始される。これにより今回のバッチ分の混練処理が行われて、飛灰中の重金属類の溶出防止がなされた飛灰処理物が生成される。
【００２３】
このように、混練停止の際に、混練機４への飛灰、重金属安定化薬液及び添加水の供給を停止した後に、薬液供給配管路６に配管洗浄用の洗浄水を注入しておき、混練開始の際に、混練機４に飛灰、重金属安定化薬液及び添加水を供給するに先立ち、混練機４を動かしながら該混練機４に薬液供給配管路６内に溜まっている洗浄水を導入するようにしている。よって、混練開始の際に、混練機４内の混練機本体に固着（付着）して残存している飛灰固着物に洗浄水による湿りと混練機４による動きを与えることにより、手間をかけずに、飛灰固着物の固着を容易に解除することができる。
【図面の簡単な説明】
【００２４】
【図１】本発明の方法を実施するための飛灰処理装置を示す概略構成図である。
【符号の説明】
【００２５】
１…飛灰貯留槽
２…飛灰搬送コンベヤ
３…テーブルフィーダ
４…混練機
５…薬液タンク
６…薬液供給配管路
７…ポンプ
８…薬液用開閉弁
９…洗浄水供給源
１０…洗浄水供給配管路
１１…洗浄水用開閉弁
１２…添加水タンク
１３…添加水供給配管路
１４…ポンプ
１５…搬出コンベヤ
１６…飛灰処理物ピット
【図１】
2008272556.tif 000003